(57)【要約】【課題】  替芯を指で摘むことなく、また、替芯を折ることなく、替芯を替芯ケースから取り出すことができる替芯ケースを提供すること。【解決手段】  替芯排出口１ｈを有する外ケース１と、この外ケース１内の替芯非受渡位置と替芯受渡位置との間を往復動可能で、替芯Ｌを収容する内ケース３とを備え、この内ケース３を、替芯非受渡位置と替芯受渡位置との間を往復動させることで内ケース３内の替芯Ｌを外ケース１内へ移動させ、替芯排出口１ｈから替芯Ｌを排出させる。【選択図】  図１
2007045052.tif 000002
【特許請求の範囲】
【請求項１】
替芯排出口を有する外ケースと、この外ケース内の替芯非受渡位置と替芯受渡位置との間を往復動可能に構成された、替芯を収容する内ケースと、この内ケースを替芯非受渡位置へ付勢する付勢手段とを備え、
前記内ケースに前記替芯が通過するスリットを設けると共に、前記外ケースに前記替芯を所定本数収容する溝を設け、
前記内ケースを前記付勢手段の付勢力に抗して替芯受渡位置へ移動させることで前記スリットが前記溝に一致して所定本数の前記替芯が前記内ケース内から前記溝内へ移動し、前記内ケースが前記付勢手段の付勢力によって替芯非受渡位置へ移動することで前記内ケースは前記溝を開放させ、前記替芯排出口から前記替芯を排出させることを特徴とする替芯ケース。
【請求項２】
前記内ケースは前記外ケースの一端部分を中心にして回動することを特徴とする請求項１記載の替芯ケース。
【請求項３】
前記付勢手段がトーションスプリングであり、このトーションスプリングを前記内ケースの回動中心に配置したことを特徴とする請求項２記載の替芯ケース。
【請求項４】
前記内ケースを替芯受渡位置にロックする内ケースロック機構を設けたことを特徴とする請求項１乃至請求項３のいずれかに記載の替芯ケース。
【請求項５】
前記内ケースロック機構は、前記内ケースを替芯受渡位置にロックした状態で前記替芯排出口を閉じることを特徴とする請求項４記載の替芯ケース。
【発明の詳細な説明】
【技術分野】
【０００１】
この発明は、シャープペンシルの替芯を収容する替芯ケースに関するものである。
【背景技術】
【０００２】
従来の替芯ケースは、複数の替芯を収容するケース本体に、このケース本体を開閉する蓋を設けた構造となっている。
したがって、替芯ケースから替芯を取り出す場合、蓋を開けてケース本体を開放させた後、ケース本体から替芯を突出させ、替芯を必要本数数えるとともに、その必要本数の替芯の端部を指で摘んでケース本体から取り出し、替芯をシャープペンシルへ挿入した後、蓋を閉じる。
【０００３】
このように、替芯ケースに収容されている替芯をシャープペンシルへ挿入する場合、必要本数の替芯の端部を指で摘んでケース本体から取り出し、シャープペンシルへ挿入しなければならなかった。
そこで、替芯ケースに収容されている替芯をシャープペンシルへ挿入する場合、替芯を指で摘まずに替芯ケースから直接シャープペンシルへ挿入することのできる替芯ケースが提案されている。
【０００４】
この替芯を指で摘まずに替芯ケースから直接シャープペンシルへ挿入することのできる替芯ケースについて図８に基づいて説明する。
図８（ａ）に示すように、内ケース１０２の内側傾斜面１０２ａで案内されて替芯吐出口１０２ｂから下側へ突出し、外ケース１０１の内側傾斜面１０１ａに当接している状態で、外ケース１０１から上側へ突出している内ケース１０２の頭部１０２ｃを、図８（ｂ）に示すように、ノックする。
このノックによって、内ケース１０２の下側に設けられる共に外ケース１０１の内側端に当接しているばね片１０３が撓む。その結果、外ケース１０１内を内ケース１０２が下降するとともに、内ケース１０２の下側がばね片１０３で押されて外ケース１０１内を右側から左側へと移動する。
【０００５】
このように、内ケース１０２の下側が外ケース１０１内を右側から左側へと移動すると、替芯吐出口１０２ｂが外ケース１０１に設けられている替芯取出口１０１ｂの真上に位置することとなり、替芯取出口１０１ｂから替芯Ｌが１本ずつ連続的に落下するので、替芯Ｌを替芯ケースから直接シャープペンシルへ挿入することができる。
そして、内ケース１０２の下側が外ケース１０１内を右側から左側へと移動すると、内ケース１０２の左側に設けられた可撓片１０４の凸部１０５が外ケース１０１の内側を押圧する。その結果、可撓片１０４が内ケース１０２の内側へ撓み、替芯Ｌの側面に接触して替芯Ｌを僅かに押圧し、替芯取出口１０１ｂから落下する替芯Ｌにブレーキを掛け、替芯Ｌの落下速度を遅くすることができる。
【特許文献１】実用新案登録第３０８６３８２号明細書
【発明の開示】
【発明が解決しようとする課題】
【０００６】
しかしながら、上記した特許文献１に開示されている替芯ケースの場合、替芯ケースから所定本数ずつ替芯Ｌを取り出すことができなかった。
また、替芯Ｌの取り出しを止めようとして頭部１０２ｃのノックを解除すると、図８（ｂ）の状態から図８（ａ）の状態に戻る。そのため替芯Ｌが替芯取出口１０１ｂと替芯吐出口１０２ｂとに跨った状態にあると、替芯Ｌが折れるなどの不都合があった。
【０００７】
この発明は、上記した不都合を解消するためになされたもので、替芯を指で摘むことなく、また替芯を折ることなく、所定本数の替芯を替芯ケースから取り出すことができる替芯ケースを提供するものである。
【課題を解決するための手段】
【０００８】
この発明にかかる替芯ケースは、替芯排出口を有する外ケースと、この外ケース内の替芯非受渡位置と替芯受渡位置との間を往復動可能に構成された、替芯を収容する内ケースと、この内ケースを替芯非受渡位置へ付勢する付勢手段とを備え、前記内ケースに前記替芯が通過するスリットを設けると共に、前記外ケースに前記替芯を所定本数収容する溝を設け、前記内ケースを前記付勢手段の付勢力に抗して替芯受渡位置へ移動させることで前記スリットが前記溝に一致して所定本数の前記替芯が前記内ケース内から前記溝内へ移動し、前記内ケースが前記付勢手段の付勢力によって替芯非受渡位置へ移動することで前記内ケースは前記溝を開放させ、前記替芯排出口から前記替芯を排出させることを特徴としている。
【０００９】
このように、この発明にかかる替芯ケースにあっては、内ケースを付勢手段の付勢力に抗して替芯受渡位置へ移動させることでスリットが溝に一致して所定本数の替芯が内ケース内から溝内へ移動し、内ケースが付勢手段の付勢力によって替芯非受渡位置へ移動することで、内ケースは溝を開放させ、替芯排出口から替芯を排出させることができる。
その結果、替芯を指で摘むことなく、また、替芯を折ることなく、所定本数の替芯を替芯ケースから取り出すことができる。なお、所定本数の替芯を替芯ケースから直接シャープペンシルへ挿入することもできる。また、前記所定本数とは、一本及び複数本を意味するものである。
【００１０】
ここで、前記内ケースを、前記外ケースの一端部分を中心にして回動させるのが望ましい。このように内ケースを、外ケースの一端部分を中心にして回動させることにより、片手で簡単に操作して替芯を替芯ケースから取り出すことができる。
また、前記付勢手段がトーションスプリングであり、このトーションスプリングを前記内ケースの回動中心に配置するのが好ましい。このように構成することで、安価な構成で所期の目的を達成することができる。
【００１１】
更に、前記内ケースを替芯受渡位置にロックする内ケースロック機構を設けるのが望ましい。
このように、内ケースを替芯受渡位置にロックする内ケースロック機構を設けたので、不用意に作動して替芯が替芯排出口から排出されるのを防止することができる。
【００１２】
また前記内ケースロック機構は前記内ケースを替芯受渡位置にロックした状態で前記替芯排出口を閉じるのが望ましい。
このように、内ケースロック機構は内ケースを替芯受渡位置にロックした状態で替芯排出口が閉じられるので、替芯が内ケースから外ケース内に移動している状態においても、替芯が替芯排出口から排出されるのを防止することができる。
【発明の効果】
【００１３】
この発明によれば、替芯を指で摘むことなく、また替芯を折ることなく、替芯を替芯ケースから取り出すことができる替芯ケースを得ることができる。
【発明を実施するための最良の形態】
【００１４】
以下、この発明にかかる替芯ケースの実施の形態を図に基づいて説明する。
図１〜図３はこの発明にかかる替芯ケースの一実施の形態を示す図で、図１（ａ）は内ケースが替芯非受渡位置に位置する状態の平面図、図１（ｂ）は図１（ａ）の断面図、図１（ｃ）は図１（ａ）のＡ−Ａ線による断面図、図２（ａ）は内ケースが替芯受渡位置へ移動した状態の平面図、図２（ｂ）は図２（ａ）の断面図、図２（ｃ）は図２（ａ）のＢ−Ｂ線による断面図、図３（ａ）は内ケースが替芯非受渡位置に復帰した状態の平面図、図３（ｂ）は図３（ａ）の断面図、図３（ｃ）は図３（ａ）のＣ−Ｃ線による断面図である。
【００１５】
図１において、替芯ケースは、外ケース１と、この外ケース１に一部を突出させた状態で移動可能に収容される内ケース３と、外ケース１に対して内ケース３を替芯非受渡位置へ付勢する付勢手段としてのトーションスプリング５と、外ケース１に対して内ケース３を回動可能に支持する支軸６とで構成されている。
【００１６】
上記した外ケース１は、合成樹脂製で、薄い直方体形状である。この外ケース１には、右側面から内側へ所定の深さで延びる直方体形状の内ケース移動空間１ａと、この内ケース移動空間１ａの下側に形成された係止空間１ｂと、内ケース移動空間１ａのさらに奥側に形成された直方体形状の替芯排出空間１ｃとが設けられている。
【００１７】
また、外ケース１には、内ケース移動空間１ａの上側部分の左右に位置して設けられた内ケース突出位置ストッパ部１ｄおよび内ケース押し込み位置ストッパ部１ｅと、係止空間１ｂの右側で、内ケース移動空間１ａを貫通する円形のヒンジ孔１ｆと、内ケース移動空間１ａの左端部分に臨むように形成された上下方向に直線状に延設された溝１ｇと、替芯排出空間１ｃの左端部上側部分を貫通して形成された替芯排出口１ｈとが設けられている。
なお、前記溝１ｇは替芯Ｌを１本収容することのできる大きさを備え、また替芯排出口１ｈは、替芯排出空間１ｃ側が漏斗状（内周面が円錐面状傾斜面）に形成され、芯が排出されやすくなっている。
【００１８】
上記した内ケース３は、合成樹脂製で、その大部分が外ケース１の内ケース移動空間１ａ内へ挿入される薄い直方体形状である。
そして、内ケース３には、替芯Ｌを収容する直方体形状の替芯収容空間３ａと、この替芯収容空間３ａの左端に位置し、替芯収容空間３ａ内の替芯Ｌが１本ずつ通過できるスリット３ｂと、替芯収容空間３ａの下側に位置し、外ケース１の係止空間１ｂ側に開放されたスプリング収容空間３ｃと、外ケース１のヒンジ孔１ｆに対応する位置に設けられた、スプリング収容空間３ｃを貫通する円形のヒンジ孔３ｄと、上部側面から突出し、外ケース１の内ケース突出位置ストッパ部１ｄと内ケース押し込み位置ストッパ部１ｅとに当接する突出部３ｅとが設けられている。
【００１９】
次に、この替芯ケースの動作について説明する。
この替芯ケースは、トーションスプリング５の付勢力により、内ケース３は支軸６を中心にして時計方向へ回動し、突出部３ｅが内ケース突出位置ストッパ部１ｄに当接し、図１に示す状態、すなわち、内ケース３が替芯非受渡位置に位置する状態となっている。なお、替芯は内ケース３の内部に予め収容されている。
そして、図１（ｂ）に示す替芯非受渡位置にある内ケース３を、トーションスプリング５の付勢力に抗して外ケース１内へ押し込み、支軸６を中心に反時計方向へ内ケース３を回動させる。
そして、図２（ｂ）に示すように、突出部３ｅが内ケース押し込み位置ストッパ部１ｅに当接することによって、内ケース３が停止して替芯受渡位置に位置する。即ち、この状態にあっては、前記スリット３ｂが溝１ｇに一致して重なっている。このようにしてスリット３ｂが溝１ｇに重なると、図２（ｃ）に示すように、替芯収容空間３ａ内の替芯Ｌの１本は、その重さにより、スリット３ｂを通過して溝１ｇ内へと入る。
【００２０】
そして、外ケース１内への内ケース３の押し込む力を解除すると、図３（ｂ）に示すように、突出部３ｅが内ケース突出位置ストッパ部１ｄに当接するまで内ケース３はトーションスプリング５の付勢力で時計方向へ回動する。
そして、突出部３ｅが内ケース突出位置ストッパ部１ｄに当接して、内ケース３が停止すると、内ケース３が溝１ｇを開放させるので、溝１ｇ内の替芯Ｌは替芯排出空間１ｃへと移動する。
この替芯排出空間１ｃへと移動した替芯Ｌは、替芯排出口１ｈから直接シャープペンシルへ挿入される。なお、替芯Ｌを替芯排出空間１ｃへ複数本移動させた後、シャープペンシルへ替芯Ｌを挿入してもよい。
【００２１】
この実施の形態の替芯ケースによると、内ケース３をトーションスプリング５の付勢力に抗して替芯受渡位置へ移動させることでスリット３ｂが溝１ｇに一致して１本の替芯Ｌが内ケース３内から溝１ｇ内へ移動する。そして内ケース３がトーションスプリング５の付勢力によって替芯非受渡位置へ移動することで内ケース３は溝１ｇを開放し、替芯排出空間１ｃを介して替芯排出口１ｈから替芯Ｌを排出させることができる。
その結果、替芯Ｌを指で摘むことなく、また、替芯Ｌを折ることなく、替芯Ｌを替芯ケースから取り出すことができるとともに、替芯Ｌを替芯ケースから直接シャープペンシルへ挿入することができる。
この場合、内ケース３を、外ケース１の一端部分を中心にして回動させたので、片手で簡単に操作して替芯Ｌを替芯ケースから取り出すことができる。
更に、付勢手段をトーションスプリング５とし、このトーションスプリング５を内ケース３の回動中心に配置したので、安価な構成で所期の目的を達成することができる。
【００２２】
図４〜図７はこの発明にかかる替芯ケースの他の実施の形態を示す図で、図４（ａ）は内ケースが替芯非受渡位置に位置する状態の斜視図、図４（ｂ）は図４（ａ）に示した替芯ケースの断面図、図４（ｃ）は図４（ｂ）のＤ−Ｄ線の断面図、図５（ａ）は内ケースを替芯受渡位置へ移動させてロックした状態の斜視図、図５（ｂ）は図５（ａ）に示した替芯ケースの断面図、図５（ｃ）は図５（ｂ）のＥ−Ｅ線の断面図、図６は内ケースが替芯非受渡位置に位置する状態で内ケース蓋を開けた状態の斜視図、図７は内ケース内へ替芯を挿入する説明図であり、図１〜図３と同一または相当部分に同一符号を付し、その説明を省略する。
【００２３】
図４（ａ）（ｂ）（ｃ）に示すように、替芯ケースは、外ケース１と、この外ケース１に取り付けられたロック機構として機能する内ケースロック部材２と、外ケース１に一部を突出させた状態で移動可能に収容される内ケース３と、この内ケース３に取り付けられた内ケース蓋４と、外ケース１に対して内ケース３を替芯非受渡位置へ付勢する付勢手段としてのトーションスプリング５と、外ケース１に対して内ケース３を回動可能に支持する支軸６とで構成されている。
【００２４】
上記した外ケース１には、前記した第１の実施形態で説明した内ケース移動空間１ａ、係止空間１ｂ、替芯排出空間１ｃ、内ケース押し込み位置ストッパ部１ｅ、ヒンジ孔１ｆと、溝１ｇと、替芯排出口１ｈとが設けられている。
また、外ケース１の上側側面には、内ケース移動空間１ａおよび替芯排出口１ｈに連通する内ケースロック部材スライド溝１ｉと、このスライド溝１ｉ内にスライド可能に収容される内ケースロック部材２と、この内ケースロック部材スライド溝１ｉの内側の一面、例えば、内側上面に位置する係止突起１ｊとが設けられている。
【００２５】
上記した内ケースロック部材２は、合成樹脂製で、外ケース１の係止突起１ｊに対応する側面にほぼ全長に亘る凹部２ａと、この凹部２ａの左端に位置し、外ケース１の係止突起１ｊに係合する内ケースロック部材突出位置ストッパ部２ｂと、凹部２ａの略中央部分に位置し、外ケース１の係止突起１ｊに係合する係合突起２ｃと、内ケース突出位置ストッパ部としても機能する挟持突起２ｄとが設けられている。
【００２６】
また上記した内ケース３には、前記した第１の実施形態で説明した替芯収容空間３ａと、スリット３ｂと、スプリング収容空間３ｃと、ヒンジ孔３ｄと、突出部３ｅと、替芯挿入口３ｆとが設けられている。
なお、内ケース３の上部に設けられた内ケース蓋４は、合成樹脂製で、内ケース３の替芯挿入口３ｆを開閉するものである。
【００２７】
次に、この替芯ケースの動作について説明する。
この替芯ケースは、トーションスプリング５の付勢力により、内ケース３は支軸６を中心にして時計方向へ回動し、突出部３ｅが挟持突起（内ケース突出位置ストッパ部）２ｄに当接し、図４（ｂ）に示す状態、すなわち、内ケース３が替芯非受渡位置に位置する状態となる。そしてこの状態で、図６のように内ケース蓋４を開け、図７に示すように、替芯挿入口３ｆから替芯収容空間３ａ内へ所定本数の替芯Ｌを挿入した後、図４（ａ）に示すように、内ケース蓋４を閉じる。
【００２８】
そして、図４（ｂ）に示す替芯非受渡位置にある内ケース３を、外ケース１内へトーションスプリング５の付勢力に抗して押し込み、支軸６を中心に反時計方向へ内ケース３を回動させる。
この内ケース３の回動により、突出部３ｅが内ケース押し込み位置ストッパ部１ｅに当接し、内ケース３が停止して、内ケース３は替芯受渡位置に位置する。即ち、スリット３ｂが溝１ｇに一致して重なった状態になる。
【００２９】
このようにしてスリット３ｂが溝１ｇに重なると、替芯収容空間３ａ内の替芯Ｌの１本は、スリット３ｂを通過して溝１ｇ内へと入る。
そして、内ケース３を外ケース１内へ押し込む力を解除すると、図４（ｂ）に示すように、突出部３ｅが挟持突起（内ケース突出位置ストッパ部）２ｄに当接するまで内ケース３はトーションスプリング５の付勢力で時計方向へ回動する。
このように、突出部３ｅが挟持突起（内ケース突出位置ストッパ部）２ｄに当接して内ケース３が停止すると、内ケース３が溝１ｇを開放するので、溝１ｇ内の替芯Ｌは替芯排出空間１ｃへと移動する。
【００３０】
そして、替芯排出口１ｈから直接シャープペンシルへ替芯Ｌを挿入することができる。なお、替芯Ｌを替芯排出空間１ｃへ複数本移動させた後、シャープペンシルへ替芯Ｌを挿入してもよい。
【００３１】
次に、内ケース３をロックする一例について説明する。
まず、図４（ｂ）に示す替芯非受渡位置にある内ケース３を外ケース１内へトーションスプリング５の付勢力に抗して押し込み、支軸６を中心に反時計方向へ内ケース３を回動させる。
そして、図５（ｂ）に示すように、突出部３ｅを内ケース押し込み位置ストッパ部１ｅに当接する替芯受渡位置に位置させた後、図５（ｃ）に示すように、係合突起２ｃが係止突起１ｊを乗り越えるように内ケースロック部材２を押し込む。
このように、内ケースロック部材２を押し込むと、係合突起２ｃが係止突起１ｊに係合することにより、内ケースロック部材２は右側への移動を阻止される。
また突出部３ｅは、挟持突起（内ケース突出位置ストッパ部）２ｄと内ケース押し込み位置ストッパ部１ｅとで挟持されるので、内ケース３は替芯受渡位置に内ケースロック部材２でロックされる。
なお、内ケースロック部材２は、内ケース３を替芯受渡位置にロックした状態で、替芯排出口１ｈを閉じている。
【００３２】
この実施の形態の替芯ケースによると、先の実施の形態と同様な効果を得ることができる他、内ケース３を替芯受渡位置にロックする内ケースロック部材２（内ケースロック機構）が設けられているので、不用意に作動して替芯Ｌが替芯排出口１ｈから排出されるのを防止することができる。
さらに、内ケースロック部材２（内ケースロック機構）は内ケース３を替芯受渡位置にロックした状態で替芯排出口１ｈを閉じるので、替芯Ｌが内ケース３から外ケース１内に移動している状態においても、替芯Ｌが替芯排出口１ｈから排出されるのを防止することができる。
【００３３】
なお、上記した実施の形態では、内ケース３から外ケース１内へ移動させる替芯Ｌの本数を１本とした例で説明したが、外ケースに設ける溝の深さを深くしたり、溝の大きさを大きくすることにより、内ケースから外ケース内へ移動させる替芯の本数を複数本としてもよい。
また、外ケース１に対して内ケース３が回動する例で説明したが、外ケースに対して内ケース全体を手動で平行にスライドさせる構成としたり、さらに、内ケースを替芯受渡位置へ付勢する付勢手段を、コイルスプリング、ゴムなどの弾性体としても、同様な効果を得ることができる。
【図面の簡単な説明】
【００３４】
【図１】図１（ａ）は、内ケースが替芯非受渡位置に位置する状態の平面図、（ｂ）は（ａ）の断面図、（ｃ）は（ａ）のＡ−Ａ線による断面図である。
【図２】図２（ａ）は、内ケースが替芯受渡位置へ移動した状態の平面図、（ｂ）は（ａ）の断面図、（ｃ）は（ａ）のＢ−Ｂ線による断面図である。
【図３】図３（ａ）は、内ケースが替芯非受渡位置に復帰した状態の平面図、（ｂ）は（ａ）の断面図、（ｃ）は（ａ）のＣ−Ｃ線による断面図である。
【図４（ａ）】図４（ａ）は、内ケースが替芯非受渡位置に位置する状態の斜視図である。
【図４（ｂ）】図４（ｂ）は、図４（ａ）に示した替芯ケースの断面図である。
【図４（ｃ）】図４（ｃ）は、図４（ｂ）のＤ−Ｄ線の断面図である。
【図５（ａ）】図５（ａ）は、内ケースを替芯受渡位置へ移動させてロックした状態の斜視図である。
【図５（ｂ）】図５（ｂ）は、図５（ａ）に示した替芯ケースの断面図である。
【図５（ｃ）】図５（ｃ）は、図５（ｂ）のＥ−Ｅ線の断面図である。
【図６】図６は、内ケースが替芯非受渡位置に位置する状態で内ケース蓋を開けた状態の斜視図である。
【図７】図７は、内ケース内へ替芯を挿入する説明図である。
【図８】図８（ａ）は、従来の替芯ケースの一例を示す内ケースをノックする前の状態を示す正断面図、（ｂ）は従来の替芯ケースの一例を示す内ケースをノックした状態を示す正断面図である。
【符号の説明】
【００３５】
１    外ケース
１ａ  内ケース移動空間
１ｂ  係止空間
１ｃ  替芯排出空間
１ｄ  内ケース突出位置ストッパ部
１ｅ  内ケース押し込み位置ストッパ部
１ｆ  ヒンジ孔
１ｇ  溝
１ｈ  替芯排出口
１ｉ  内ケースロック部材スライド溝
１ｊ  係止突起
２    内ケースロック部材（内ケースロック機構）
２ａ  凹部
２ｂ  内ケースロック部材突出位置ストッパ部
２ｃ  係合突起
２ｄ  挟持突起（内ケース突出位置ストッパ部）
３    内ケース
３ａ  替芯収容空間
３ｂ  スリット
３ｃ  スプリング収容空間
３ｄ  ヒンジ孔
３ｅ  突出部
３ｆ  替芯挿入口
４    内ケース蓋
５    トーションスプリング（付勢手段）
６    支軸
Ｌ    替芯
【図１】
2007045052.tif 000003
【図２】
2007045052.tif 000004
【図３】
2007045052.tif 000005
【図４（ａ）】
2007045052.tif 000006
【図４（ｂ）】
2007045052.tif 000007
【図４（ｃ）】
2007045052.tif 000008
【図５（ａ）】
2007045052.tif 000009
【図５（ｂ）】
2007045052.tif 000010
【図５（ｃ）】
2007045052.tif 000011
【図６】
2007045052.tif 000012
【図７】
2007045052.tif 000013
【図８】
2007045052.tif 000014